(57)【要約】【課題】おもてなし演出」を趣向を凝らしたものにすると共に、ユーザが「おもてなし演出」の各種設定をカスタマイズできるものとすることによって、商品性（商品として魅力）を向上させた電子機器を提供すること。【解決手段】起動時に視覚的演出を実行する電子機器において、起動時に照明又は表示の輝度を最大値まで一旦上げてからユーザ設定値まで徐々に下げる。加えて、起動時に一旦最大値まで上げられた上記輝度がユーザ設定値まで下げられるまでの間最大輝度に保持される時間長をユーザ設定可能とする。起動後にユーザ操作が検出されたときには、ユーザがおもてなし演出よりも直ちに操作することを重視していると判断して、上記輝度を直ちにユーザ設定値へ調節する。【選択図】図２
2007114379.tif 000002
【特許請求の範囲】
【請求項１】
起動時に視覚的演出を実行する電子機器であって、
起動時に照明又は表示の輝度を最大値まで一旦上げてからユーザ設定値まで徐々に下げる、ことを特徴とする電子機器。
【請求項２】
請求項１記載の電子機器であって、
起動時に一旦最大値まで上げられた前記輝度がユーザ設定値まで下げられるまでの間最大輝度に保持される時間長をユーザ設定可能とした、ことを特徴とする電子機器。
【請求項３】
請求項１記載の電子機器であって、
起動後にユーザ操作が検出されたときには前記輝度を直ちにユーザ設定値へ調節する、ことを特徴とする電子機器。
【請求項４】
車両に搭載され、アクセサリースイッチオン時に起動することを特徴とする請求項１乃至３のいずれか一項記載の電子機器。
【発明の詳細な説明】
【技術分野】
【０００１】
本発明は、概して、起動時に視覚的演出を実行する電子機器に係り、特に、商品性を向上させた電子機器に関する。
【背景技術】
【０００２】
従来、起動時に表示部の輝度を調整したり、表示部に所定の文字又は図形を表示させたりして、ユーザを「おもてなし／お迎え」する視覚的演出（以下、総称的に「おもてなし演出」と称す）を実行する電子機器が知られている（例えば、特許文献１〜３参照）。
【０００３】
特許文献１には、起動時に複数のイラストパターンを順次表示する電子機器が開示されている。
【０００４】
特許文献２には、起動時にオープニングセレモニー画面が表示される自動二輪車用表示装置が開示されている。
【０００５】
特許文献３には、起動時に表示輝度を段階的又は連続的に変化させるオーディオ機器が開示されている。
【特許文献１】特開平８−３１４６６５号公報
【特許文献２】特開２０００−２７２３７６号公報
【特許文献３】特開２０００−３５２９５０号公報
【発明の開示】
【発明が解決しようとする課題】
【０００６】
しかしながら、従来の電子機器における起動時の「おもてなし演出」は、視覚的インパクトが弱く、面白みに欠ける。
【０００７】
例えば、上記特許文献１記載の電子機器において起動時に表示されるイラストは、時間帯によって変化するに過ぎず（図３参照）、視覚的演出としては単にイラストが表示される域を出ていない。
【０００８】
また、上記特許文献２記載の電子機器において起動時に表示される画面は、固定的で変化のない静止画であり（図１４及び１５参照）、面白みに欠ける。
【０００９】
さらに、上記特許文献３記載の電子機器における「おもてなし演出」は、起動時に表示輝度を０％から１００％まで徐々に明るくするというものであって（図５参照）、視覚的インパクトに乏しい。
【００１０】
加えて、従来の電子機器における「おもてなし演出」は、固定的に組み込まれたものであって、ユーザがカスタマイズする余地がない。例えば、上記特許文献１及び２に開示された従来の電子機器では、起動時に表示される画面の内容や表示態様をユーザが選択・設定・調整することはできない。
【００１１】
また、上記特許文献３に開示された従来の電子機器では、表示輝度が毎回１００％（最大輝度）に調節されてしまうが、より低い（暗い）輝度を好むユーザも存在するはずである。しかしながら、他方で、起動時に輝度を０％からユーザ設定値まで徐々に明るくするものとすると、特にユーザ設定値が低いときに、視覚的インパクトに欠け、おもてなし演出としての魅力が落ちる。
【００１２】
本発明はこのような課題を解決するためのものであり、「おもてなし演出」を趣向を凝らしたものにすると共に、ユーザが「おもてなし演出」の各種設定をカスタマイズできるものとすることによって、商品性（商品として魅力）を向上させた電子機器を提供することを主たる目的とする。
【課題を解決するための手段】
【００１３】
上記目的を達成するための本発明の一態様は、起動時に視覚的演出を実行する電子機器であって、起動時に照明又は表示の輝度を最大値まで一旦上げてからユーザ設定値まで徐々に下げる電子機器である。
【００１４】
この一態様によれば、起動後に照明又は表示の輝度がユーザ設定値に調節されるため、個々のユーザの好みが反映されると共に、起動時に一旦は最大輝度まで上げられるため、視覚的にインパクトの大きい「おもてなし演出」を実現できる。これにより、当該電子機器が商品として一層魅力あるものとなる。
【００１５】
なお、この一態様においては、起動時に一旦最大値まで上げられた上記輝度がユーザ設定値まで下げられるまでの間最大輝度に保持される時間長についてもユーザが設定可能であることが好ましい。
【００１６】
また、この一態様において、起動後にユーザ操作が検出されたときには、ユーザがおもてなし演出よりも直ちに操作することを重視していると判断して、上記輝度が直ちにユーザ設定値へ調節されることが好ましい。
【００１７】
さらに、この一態様に係る電子機器は、任意の電子機器でよく、例えば車両に搭載された車載電子機器であってもよい。この場合、当該電子機器は、車両のアクセサリースイッチ（ＡＣＣ）オン時に起動することになる。
【発明の効果】
【００１８】
本発明によれば、商品性を向上させた電子機器を提供することができる。
【発明を実施するための最良の形態】
【００１９】
以下、本発明を実施するための最良の形態について、添付図面を参照しながら実施例を挙げて説明する。なお、起動時に視覚的演出を実行する電子機器の主要なハードウェア構成や基本的な制御手法等については当業者には既知であるため、詳しい説明を省略する。
【実施例】
【００２０】
以下、図１〜３を用いて、本発明の一実施例に係る電子機器について説明する。本実施例に係る電子機器は、一例として、車両に搭載された車載電子機器である。
【００２１】
図１は、本実施例に係る電子機器１００の概略構成図である。本実施例において、電子機器１００は、例えば車載オーディオ装置などの車載電子機器であるが、図１では本実施例の説明に不要な構成要素（例えば、車載オーディオ装置である場合のスピーカなど）は図示を省略している。
【００２２】
電子機器１００は、ユーザが電子機器１００を操作するための各種入力を行う操作部１０１を有する。操作部１０１は、例えば、押ボタン、感圧ボタン、回転式つまみ、又は、スライド式つまみ、などの１つ以上の操作インターフェースから構成される。また、操作部１０１は、本実施例に係る「おもてなし演出」のカスタマイズ（後に詳述）にも用いられる。
【００２３】
電子機器１００は、更に、夜間など車室内が暗い状況においても車両運転者が操作部１０１を構成する各種ボタン類の位置を把握できるように、操作部１０１を照らす照明部１０２を有する。照明部１０２は、操作部１０１を構成する各種ボタン類及びそれらに付随して記載されたそれらの名称や機能や目盛りなどを示した文字列・数字列等を明るく浮き出させる照明素子（例えば、発光ダイオード（ＬＥＤ）など）から構成される。
【００２４】
電子機器１００は、更に、電子機器１００の動作モードや状態（ステータス）や操作メニューなどを表示する表示部１０３を有する。表示部１０３は、例えば、液晶ディスプレイ（ＬＣＤ）を含む。例えば電子機器１００が車載オーディオ装置の場合、表示部１０３には、例えば、現在の動作モード（例えば、ＣＤプレーヤー、ＡＭラジオ、ＦＭラジオ、など）と、ＣＤプレーヤーモードであれば現在再生中のトラック数或いはラジオモードであれば現在チューニングされている周波数などの情報とが表示される。
【００２５】
加えて、本実施例においては、表示部１０３は、表示輝度を調節可能であるものとする。輝度調節は、例えばレオスタットを利用することにより実現可能である。レオスタットを用いる場合、発振回路からの信号のＤＵＴＹ比を制御することにより輝度の変更が可能となる（ＤＵＴＹ比が大きくなるほど輝度が大きく／明るくなる）。
【００２６】
電子機器１００は、更に、電子機器１００の各構成要素を統括的に制御する制御部１０４を有する。制御部１０４は、例えばＥＣＵである。
【００２７】
電子機器１００は、更に、制御部１０４の動作に必要なソフトウェアプログラムやユーザにより設定された各種設定値などを記憶保持する記憶部１０５を有する。記憶部１０５は、任意の書換（上書）可能な記憶媒体でよい。
【００２８】
制御部１０４は、操作部１０１を通じて入力されたユーザ操作に応じて、表示部１０３に表示される画面の切り替え、照明部１０２の照明輝度及び表示部１０３の表示輝度の調節、及び、記憶部１０５に記憶されたユーザ設定値の変更、などを行う。
【００２９】
制御部１０４には車両のアクセサリースイッチ（ＡＣＣ）のオン／オフが伝達される。制御部１０４は、ＡＣＣがオンとなると起動して、記憶部１０５に記憶保持された「おもてなし演出プログラム」を読み出し、実行する。
【００３０】
制御部１０４による起動時の処理の流れを図２のフローチャートに示す。実質的な処理はＡＣＣオンにより開始される（Ｓ２０１の「ＹＥＳ」）。
【００３１】
まず、制御部１０４は、起動（ＡＣＣオン）から所定時間ＴＡ経過すると、照明部１０２及び表示部１０３に照明／表示輝度を最小値ＭＩＮ（＝０）から最大値ＭＡＸまで所定の速度で（換言すれば、所定の時間ＴＢを掛けて）上げる（フェードインする）ように指示する（Ｓ２０２）。
【００３２】
照明部１０２及び表示部１０３は、制御部１０４の指示に基づいて照明／表示輝度を徐々に上げ、最大値ＭＡＸに達するとその輝度を保持（維持）する。
【００３３】
ここで、所定時間ＴＡ及びＴＢはそれぞれユーザが操作部１０１を通じて任意に設定できるものとする。
【００３４】
次いで、制御部１０４は、照明部１０２及び表示部１０３の照明／表示輝度が最大値ＭＡＸとなり、保持（維持）されてから所定時間ＴＣ経過すると、ユーザによって設定された照明部１０２及び表示部１０３の所望照明／表示輝度を記憶部１０５から読み出し、照明部１０２及び表示部１０３へそれぞれ伝達すると共に、照明部１０２及び表示部１０３に照明／表示輝度を所定の速度で伝達したユーザ設定値まで下げるように指示する（Ｓ２０３）。
【００３５】
照明部１０２及び表示部１０３は、制御部１０４の指示に基づいて照明／表示輝度を徐々に下げ、制御部１０４から伝達されたユーザ設定値に達するとその輝度を保持（維持）する。
【００３６】
ここで、所定時間ＴＣはユーザが操作部１０１を通じて任意に設定できるものとする。
【００３７】
次いで、制御部１０４は、照明部１０２及び表示部１０３の照明／表示輝度がユーザ設定値となり、保持（維持）されてから所定時間経過すると、所定の文字列及びこの所定の文字列のスクロール表示方法（例えば、速度、表示位置、色、表示期間ＴＦ、など）を記憶部１０５から読み出し、表示部１０３へ伝達すると共に、表示部１０３に伝達した文字列を伝達した方法で画面上にスクロール表示するように指示する（Ｓ２０４）。
【００３８】
ここで、上記所定の文字列の内容及びスクロール表示方法はそれぞれユーザが操作部１０１を通じて任意に設定できるものとする。上記所定の文字列とは、デフォルトでは例えば「ようこそ、○○（車名等）へ」や「○○さん（所有者名）、こんにちは」といったウェルカムメッセージである。
【００３９】
次いで、制御部１０４は、上記所定の文字列が表示部１０３によってスクロール表示されてから所定時間ＴＦ経過すると、前回起動時に最後に利用したモード（ここでは「ラストモード」と称す）を記憶部１０５から読み出して表示部１０３へ伝達し、ラストモードに対応した画面を表示させる（Ｓ２０５）。
【００４０】
ここで、所定時間ＴＦはユーザが操作部１０１を通じて任意に設定できるものとする。また、ラストモードの代わりにユーザ設定に依らないデフォルト画面（例えばメインメニュー画面）が表示されるものとしてもよい。
【００４１】
このラストモードの表示（Ｓ２０５）により起動時の「おもてなし演出」は終了し、以降は通常動作となる。
【００４２】
ここまでの流れをユーザ視点で見れば、ＡＣＣオン後、操作部１０１及び表示部１０３が徐々に明るくなり（フェードイン）、最大輝度となった後、徐々に設定した所望の輝度まで下がっていくことになる。すなわち、ユーザが設定した輝度の大小（明暗）にかかわらず、起動時に一旦は最大輝度で光るため、夜間など車室内が暗い状況では車両乗員に対する視覚的インパクトは強い。また、操作部１０１を構成する各種ボタン類の位置を確認することができる。
【００４３】
このような本実施例に係る電子機器１００の起動時処理による具体的な輝度変化の一例を図３に示す。
【００４４】
図３の一例では、まず時刻ｔ０においてＡＣＣがオンとなる。時刻ｔ０から所定時間ＴＡが経過すると、時刻ｔ１において輝度を上げ始める。このとき、輝度は所定時間ＴＢを掛けて時刻ｔ２において最大値ＭＡＸとなるような速度で上げられる。
【００４５】
時刻ｔ２において輝度が最大値ＭＡＸに達すると、所定時間ＴＣ、輝度は最大値ＭＡＸのまま保持される。
【００４６】
時刻ｔ２から所定時間ＴＣが経過すると、輝度は所定時間ＴＤ掛けて時刻ｔ４にゼロとなる速度で下げられる。そして、途中、輝度がユーザ設定値に達すると、以降、ユーザから設定変更操作が入力されない限り、輝度はこのユーザ設定値に保持される。
【００４７】
時刻ｔ４から所定時間ＴＥが経過すると、時刻ｔ５において表示部１０３による所定文字列のスクロール表示が開始される。そして、時刻ｔ５から所定時間ＴＦが経過すると、時刻ｔ６において所定文字列のスクロール表示は終了し、ラストモード画面が表示される。
【００４８】
以上のおもてなし演出において、所定時間ＴＡ、ＴＢ、ＴＣ、ＴＤ、ＴＥ、及びＴＦの各期間長はユーザが操作部１０１を通じて任意に設定できるものとする。すなわち、ＴＣ＝０として最大輝度に保持される時間を無くしてもよく、或いは、ＴＡ＝ＴＢ＝ＴＣ＝ＴＤ＝ＴＥ＝０として、ＡＣＣオン時に直ちにユーザ設定輝度で文字スクロールが開始されるものとして「おもてなし演出」を実質無効化してもよい。
【００４９】
また、所定時間ＴＤ及びＴＥの設け方自体を変更して、最大輝度から徐々に下げられた輝度がユーザ設定値に達した時刻を基準として、この基準時刻から任意の所定時間（ゼロを含む）経過後に文字スクロールが開始されるものとしてもよい。
【００５０】
さらに、各所定時間の相対的な割合はそのままに、ラストモードが表示されるまでの全体時間を短縮するといった包括的な設定も可能であることが好ましい。
【００５１】
以上、図２及び３を用いて、本実施例に係る「おもてなし演出」の流れを説明したが、この演出の実行中（図３の例で言えば時刻ｔ０〜ｔ６の間）にユーザが操作部１０１から電子機器１００の操作（例えば、車載オーディオ装置の場合、ＣＤ再生操作やラジオ選局操作、など）を行った場合、ユーザは「おもてなし演出」よりも電子機器１００を一刻も早く操作したいと考えていると判断することができる。
【００５２】
図２及び３では図示を省略しているが、このようなユーザからの割り込み操作が検出された場合、制御部１０４は、「おもてなし演出」を直ちに中止して、照明部１０２の照明輝度及び表示部１０３の表示輝度をそれぞれユーザ設定値にすると共に、表示部１０３にラストモード画面を表示させる（図３の例で言えば、時刻ｔ０〜ｔ６の間のどこの時点であっても直ちに時刻ｔ６の状態へジャンプする）。
【００５３】
このように、本実施例によれば、ＡＣＣオン時に操作部の照明輝度及び表示部の表示輝度が自動的にユーザ設定値に調節されると共に、このユーザ設定値へ調節されるまでの過程として一旦最大輝度まで徐々に上げられ、それからユーザ設定値まで徐々に下げられるという輝度変化を経ることにより、ユーザに対する視覚的インパクトの強い「おもてなし演出」とすることができる。
【００５４】
また、本実施例によれば、「おもてなし演出」における各種パラメータをユーザがカスタマイズ可能としたため、ユーザの好みに応じて「おもてなし演出」を長い時間味わえるようにすることも、直ちに電子機器操作を行えるように「おもてなし演出」の時間を短くする又は実行しないとすることも、可能である。
【産業上の利用可能性】
【００５５】
本発明は、表示部を備えたあらゆる電子機器に利用できる。例えばカーオーディオなどの車載電子機器として用いられる場合、搭載される車両の外観、重量、サイズ、走行性能等は問わない。
【図面の簡単な説明】
【００５６】
【図１】本発明の一実施例に係る電子機器の概略構成図である。
【図２】本発明の一実施例に係る電子機器による起動時処理の流れを示すフローチャートである。
【図３】本発明の一実施例に係る電子機器による起動時処理における輝度変化を示すグラフである。
【符号の説明】
【００５７】
１００  電子機器
１０１  操作部
１０２  照明部
１０３  表示部
１０４  制御部
１０５  記憶部
【図１】
2007114379.tif 000003
【図２】
2007114379.tif 000004
【図３】
2007114379.tif 000005